(57)【要約】【課題】コンパクト化して取り扱いやすくなる集塵装置を提供すること。【解決手段】底部および装着口を有するダストカップと、前記ダストカップの前記装着口に装着される遠心分離ユニットとを備え、  前記遠心分離ユニットは、空気中の第１の塵埃を空気から分離する筒形の第１遠心分離部と、前記第１遠心分離部の周囲に配置されて前記第１遠心分離部を通過した空気中の前記第１の塵埃よりも小さい第２の塵埃を分離する複数の遠心分離筒を含む第２遠心分離部とを有し、  前記ダストカップは、前記第１遠心分離部の周囲の前記第１の塵埃を集塵可能な第１集塵室を有し、  前記遠心分離ユニットは、前記第２遠心分離部の前記複数の遠心分離筒から送られる前記第２の塵埃を集塵可能な第２集塵室を有することを特徴とする集塵装置。【選択図】図６
2019155053.tif 000002
【特許請求の範囲】
【請求項１】
底部および装着口を有するダストカップと、前記ダストカップの前記装着口に装着される遠心分離ユニットとを備え、
前記遠心分離ユニットは、空気中の第１の塵埃を空気から分離する筒形の第１遠心分離部と、前記第１遠心分離部の周囲に配置されて前記第１遠心分離部を通過した空気中の前記第１の塵埃よりも小さい第２の塵埃を分離する複数の遠心分離筒を含む第２遠心分離部とを有し、
前記ダストカップは、前記第１遠心分離部の周囲の前記第１の塵埃を集塵可能な第１集塵室を有し、
前記遠心分離ユニットは、前記第２遠心分離部の前記複数の遠心分離筒から送られる前記第２の塵埃を集塵可能な第２集塵室を有することを特徴とする集塵装置。
【請求項２】
前記第１遠心分離部は、前記ダストカップの前記第１集塵室と前記第２遠心分離部とを連通させる内筒部と、前記内筒部を挿通させる挿通孔および前記第２遠心分離部を嵌め込む嵌合口を有するカップ部とをさらに有し、
前記カップ部、前記内筒部および前記第２遠心分離部で囲まれた空間を前記第２集塵室として備える請求項１に記載の集塵装置。
【請求項３】
前記ダストカップは、前記底部が開閉可能に構成されており、
前記内筒部は、前記ダストカップの閉じた前記底部に支持される下端部と、前記ダストカップの前記底部が閉状態のときに前記カップ部の前記挿通孔を挿通して前記内筒部の内部と前記第２集塵室とを遮蔽可能な上端部とを有し、
前記ダストカップの前記底部が開くことによって前記内筒部の前記上端部が下方へ移動して前記内筒部の内部と前記第２集塵室とが連通するように構成された請求項２に記載の集塵装置。
【請求項４】
前記第１遠心分離部は、前記ダストカップの閉じた前記底部側へ前記内筒部を付勢する付勢部材をさらに備えた請求項３に記載の集塵装置。
【請求項５】
前記遠心分離ユニットは、前記カップ部に対して回動可能なように前記第２遠心分離部と前記カップ部との間に設けられたワイパー部と、前記ワイパー部を回動させる回動部とをさらに有する請求項３または４に記載の集塵装置。
【請求項６】
前記ワイパー部は、前記複数の遠心分離筒を前記第２集塵室内に個別に連通させるように仕切る複数のワイパー片を有する請求項５に記載の集塵装置。
【請求項７】
前記内筒部は、前記下端部側に設けられて前記第１集塵室内の前記第１の塵埃を圧縮可能な圧縮スクリュー部をさらに有し、
前記ワイパー部と前記内筒部とが一体回動可能かつ分離可能に連結している請求項５または６に記載の集塵装置。
【請求項８】
前記回動部と前記第２遠心分離部とが一体回動可能かつ分離可能に連結し、かつ前記第２遠心分離部と前記ワイパー部とが一体回動可能かつ分離可能に連結している請求項５〜７のいずれか１つに記載の集塵装置。
【請求項９】
前記ワイパー部は、前記第１遠心分離部の前記カップ部の内面と摺接可能な円環状の外シールリング部と、前記第１遠心分離部の前記内筒部の上端部と摺接可能な円環状の内シールリング部と、前記カップ部の底部と摺接可能なようにかつ前記外シールリング部と前記内シールリング部とを連結するようにこれらと一体化された前記複数のワイパー片とを有する請求項８に記載の集塵装置。
【請求項１０】
前記ワイパー片は、前記外シールリング部と前記内シールリング部とに連結された基端部と、前記カップ部の底部と摺接可能であり前記基端部よりも薄い厚さを有する先端部とを有する請求項９に記載の集塵装置。
【請求項１１】
前記ワイパー部の前記外シールリング部は、その内周面側に下方へ開口する凹周溝を有し、
前記第２遠心分離部は、前記外シールリング部の前記内周面に密着する円環状の受け板部を有し、
前記受け板部は、前記外シールリング部の前記凹周溝内に嵌め込まれる上縁部を有する請求項９または１０に記載の集塵装置。
【請求項１２】
前記受け板部は、前記カップ部の底面と摺接可能なように前記ワイパー部の前記外シールリング部よりも下方に突出するリブを有する請求項１１に記載の集塵装置。
【請求項１３】
前記カップ部と前記受け板部の前記リブとが異なる材料にて形成されている請求項１２に記載の集塵装置。
【請求項１４】
前記回動部は、前記第１遠心分離部の前記カップ部の前記嵌合口を覆うように設けられたカバー部材と、前記カバー部材に対して回動可能に設けられた回動機構部とを備え、  
前記回動機構部は、前記カバー部材に回動可能に設けられたハンドルと、前記ハンドルと一体的に回動可能な第１ギアと、前記第２遠心分離部の上壁部に設けられて前記第１ギアと噛合可能な第２ギアとを有し、
前記第１ギアは、前記ハンドルの回動軸心と略平行な垂直面をそれぞれ有する複数の歯を備え、
前記第２ギアは、前記第１ギアの前記垂直面と面接触するように前記回動軸心と略平行な受け面をそれぞれ有する複数の歯を備える請求項５〜１３のいずれか１つに記載の集塵装置。
【請求項１５】
前記第１ギアと前記第２ギアとは互いに異なる材料にて形成されている請求項１４に記載の集塵装置。
【請求項１６】
請求項１〜１５のいずれか１つに記載の集塵装置と、前記集塵装置を着脱可能に装着する集塵装置装着部を有する駆動装置とを有し、床面上を進行方向に走行可能なキャニスター型の掃除機本体を備え、
前記駆動装置は、前記集塵装置装着部を構成する筐体と、前記筐体内に設けられた電動送風機と、前記電動送風機に外部電源からの電力を供給する電源コードと、前記電源コードを引き出し可能に前記筐体内に巻き取るコードリールと、引き出した前記電源コードを前記コードリールを作動させて巻き取らせる巻き取り開始ボタンとを有し、
前記巻き取り開始ボタンは、前記筐体における前記集塵装置装着部付近に、かつ前記駆動装置の転倒によって外部環境に接触しないまたは接触しても引き出した前記電源コードの巻き取りが開始されないように位置配置された電気掃除機。
【請求項１７】
前記駆動装置の前記集塵装置装着部は、前記集塵装置を横倒し状態で装着できるように前記筐体の上面側に設けられると共に、前記集塵装置の前記ダストカップの前記底部を保持する保持板を前記筐体の前記上面に上方突出状に有しており、
前記巻き取り開始ボタンは、前記保持板における後方近傍位置でかつ左右方向の中間位置に配置されている請求項１６に記載の電気掃除機。
【発明の詳細な説明】
【技術分野】
【０００１】
本発明は、集塵装置およびそれを備えた電気掃除機に関する。
【背景技術】
【０００２】
従来の電気掃除機の集塵装置として、例えば、特許文献１には次の構成を備えたサイクロン式集塵装置が提案されている。
このサイクロン式集塵装置は、空気中の第１の塵埃を分離する第１の筒状遠心分離部と、第１の筒状遠心分離部と連通しかつ第１の筒状遠心分離部を通過した空気中の第１の塵埃よりも小さい第２の塵埃を分離する第２の筒状遠心分離部と、第１および第２の塵埃を集塵する集塵容器とを備え、第１の塵埃を集塵容器の中央側に集塵し、第２の塵埃を集塵容器の外周側に区画して集塵するように構成されている。
【先行技術文献】
【特許文献】
【０００３】
【特許文献１】特開２０１６−０４３１４１号公報
【発明の概要】
【発明が解決しようとする課題】
【０００４】
特許文献１に記載のサイクロン式集塵装置は、第１の塵埃を集塵容器の中央側に集塵し、第２の塵埃を集塵容器の外周側に区画して集塵するように構成されているため、集塵容器の外周部が大きくなって取り扱いにくく、コンパクト化が求められていた。
【０００５】
本発明は、このような課題に鑑みなされたものであり、コンパクト化して取り扱いやすくなる集塵装置およびそれを備えた電気掃除機を提供することを目的とする。
【課題を解決するための手段】
【０００６】
本発明によれば、底部および装着口を有するダストカップと、前記ダストカップの前記装着口に装着される遠心分離ユニットとを備え、
前記遠心分離ユニットは、空気中の第１の塵埃を空気から分離する筒形の第１遠心分離部と、前記第１遠心分離部の周囲に配置されて前記第１遠心分離部を通過した空気中の前記第１の塵埃よりも小さい第２の塵埃を分離する複数の遠心分離筒を含む第２遠心分離部とを有し、
前記ダストカップは、前記第１遠心分離部の周囲の前記第１の塵埃を集塵可能な第１集塵室を有し、
前記遠心分離ユニットは、前記第２遠心分離部の前記複数の遠心分離筒から送られる前記第２の塵埃を集塵可能な第２集塵室を有する集塵装置が提供される。
【０００７】
また、本発明によれば、前記集塵装置と、前記集塵装置を着脱可能に装着する集塵装置装着部を有する駆動装置とを有し、床面上を進行方向に走行可能なキャニスター型の掃除機本体を備え、
前記駆動装置は、前記集塵装置装着部を構成する筐体と、前記筐体内に設けられた電動送風機と、前記電動送風機に外部電源からの電力を供給する電源コードと、前記電源コードを引き出し可能に前記筐体内に巻き取るコードリールと、引き出した前記電源コードを前記コードリールにて巻き取らせる巻き取り開始ボタンとを有し、
前記巻き取り開始ボタンは、前記筐体における前記集塵装置装着部付近に、かつ前記駆動装置の転倒によって外部環境に接触しないまたは接触しても引き出した前記電源コードの巻き取りが開始する押し込み量に達しないように構成された電気掃除機が提供される。
【発明の効果】
【０００８】
本発明の集塵装置によれば、第１の塵埃を捕集する第１集塵室がダストカップ内に設けられ、かつ第１の塵埃よりも小さい第２の塵埃を捕集する第２集塵室が遠心分離ユニット内に設けられるため、ダストカップがコンパクト化されて取り扱いやすくなる。
また、本発明の集塵装置を備えた電気掃除機によれば、電気掃除機による清掃中に掃除機本体が転倒して巻き取り開始ボタンが床面に当たって電源コードが巻き取られる、といった誤動作を防止することができる。
【図面の簡単な説明】
【０００９】
【図１】本発明の実施形態１の集塵装置が駆動装置に装着された掃除機本体を示す斜視図である。
【図２】図１の掃除機本体の内部構造を示す断面図である。
【図３】図１の掃除機本体の駆動装置から集塵装置を取り外した状態を示す斜視図である。
【図４】図３の駆動装置を上方から視た斜視図である。
【図５】図２で示された電気掃除機が転倒した状態を示す断面図である。
【図６】本発明の実施形態１の集塵装置を示す斜視図である。
【図７】図６の集塵装置の内部構造を示す断面図である。
【図８】図６の集塵装置の底部を開いた内部構造を示す断面図である。
【図９】図６の集塵装置の分解図である。
【図１０】図９の分解した集塵装置における遠心分離ユニットの分解図である。
【図１１】図１０の分解した遠心分離ユニットにおける内筒部およびカップ部の分解図である。
【図１２】図１０の分解した遠心分離ユニットにおける第２遠心分離部およびワイパー部を示す斜視図である。
【図１３】図１２の第２遠心分離部の分解図である。
【図１４】図１０の第２遠心分離部にワイパー部を組み付けた状態を示す下方から視た斜視図である。
【図１５】図６の集塵装置における第２集塵室内の構造を示す断面図である。
【図１６】図２で示された集塵装置におけるカップ部と内筒部と受け板部とワイパー部とが組み付けられた状態を説明する断面図である。
【図１７】図１０の分解した遠心分離ユニットにおける回動部の分解図である。
【図１８】図１７の分解した回動部の第１ギアを下方から視た斜視図である。
【図１９】図２で示された集塵装置における第１ギアと第２ギアとが（Ａ）は互いに噛合して正回転する状態を示し、（Ｂ）は互いに第１ギアが第２ギアに対して逆回転する状態を示す説明図である。
【発明を実施するための形態】
【００１０】
（実施形態１）
図１は本発明の実施形態１の集塵装置が駆動装置に装着された掃除機本体を示す斜視図であり、図２は図１の掃除機本体の内部構造を示す断面図である。また、図３は図１の掃除機本体の駆動装置から集塵装置を取り外した状態を示す斜視図であり、図４は図３の駆動装置を上方から視た斜視図であり、図５は図２で示された電気掃除機が転倒した状態を示す断面図である。なお、図１と図３において、矢印Ｘ方向は前後方向を示し、矢印Ｙ方向は左右方向を示し、矢印Ｚ方向は上下方向を示している。
【００１１】
図１〜図４に示すように、本発明の実施形態１の集塵装置２０はキャニスター型の駆動装置１０に着脱可能に装着され、これにより電気掃除機の掃除機本体１が構成される。なお、掃除機本体１の駆動装置１０には、図示しないハンドルおよび操作部を有する可撓性ホース、延長パイプおよび吸込口体が接続される。
【００１２】
＜駆動装置の構成＞
掃除機本体１において、駆動装置１０は、集塵装置２０を横倒し状態で上下方向に着脱させる上方開口凹形の集塵装置装着部１２を有する筐体１１と、筐体１１の内部に設けられた電動送風機３０と、筐体１１に回転可能に設けられた左右一対の車輪１３および前輪１４とを備える。
【００１３】
筐体１１は、平面的に視て長円形の上端縁を有し、その上端縁の前部が平面視Ｕ形のハンドル部１１ａとなっている。また、筐体１１内の右側後部には、電動送風機３０に外部電源からの電力を供給する電源コード（不図示）を筐体１１内に巻き取るコードリール４０が設けられると共に、筐体１１の集塵装置装着部１２の後部にはコードリール４０から引き出した電源コードをコードリール４０を作動させて巻き取らせる巻き取り開始ボタン１５が設けられている。
【００１４】
この巻き取り開始ボタン１５は、筐体１１における集塵装置装着部１２付近に、かつ駆動装置１０の転倒（図５）によって外部環境（例えば、床面Ｆ）に接触しないまたは接触しても引き出した電源コードの巻き取りが開始されないように位置配置されている。
本実施形態の場合、集塵装置装着部１２は、集塵装置２０を横倒し状態で装着できるように筐体１１の上面側に設けられると共に、集塵装置２０の後述するダストカップ２１の底部２１ｂを保持する保持板１６を筐体１１の上面に上方突出状に有している。
また、巻き取り開始ボタン１５は、保持板１６における後方近傍位置でかつ左右方向の中間位置に配置されている。
【００１５】
つまり、筐体１１における集塵装置装着部１２と巻き取り開始ボタン１５との間に保持板１６が立設されることにより、図５に示すように、駆動装置１０が後方へ転倒した場合、筐体１１の後端角部１１ｈと保持板１６との間に隙間Ｓが形成され、この隙間Ｓによって巻き取り開始ボタン１５が床面Ｆに当たったとしても深く押し込まれることがない。言い換えれば、接触しても引き出した電源コードの巻き取りが開始する押し込み量に達しないように巻き取り開始ボタン１５は遊びを持つように構成されている。この結果、駆動装置１０の転倒による電源コードの巻き取り開始の誤動作が防止される。なお、巻き取り開始ボタン１５は、駆動装置１０が後方へ転倒しても床面Ｆに当たらないようにしてもよい。
【００１６】
また、筐体１１は、図示しない可撓性ホースの基端部と接続可能な接続口１１ｂをハンドル部１１ａの下方かつ集塵装置装着部１２の前方に有し、集塵装置２０の後述する空気流入口２１ａ2および空気排出口２２Ｄａ12と接続可能な空気導出口１１ｃおよび空気導入口１１ｄを集塵装置装着部１２の底部左後方および底部前部に有し、後壁部１１ｅに排気口１１ｅ1を有している。
また、空気導出口１１ｃおよび空気導入口１１ｄの周囲にはそれぞれパッキンが設けられると共に、空気導入口１１ｄには図示しないパッキン付きのフィルター５０が装着される。
さらに、筐体１１の後壁部１１ｅにおける排気口１１ｅ1の周囲３箇所には駆動装置１０を直立可能とする突起状の脚部１１ｆが設けられている。
【００１７】
駆動装置１０の内部において、接続口１１ｂと空気導出口１１ｃとの間が空気の第１流通経路１７ａとなっており、空気導入口１１ｄと電動送風機３０との間が第２流通経路１７ｂとなっており、電動送風機３０と後壁部１１ｅの排気口１１ｅ1との間が第３流通経路１７ｃとなっている。なお、電動送風機３０は、集塵装置装着部１２の前後方向中間位置の下部（空気導出口１１ｃの横）に配置されると共に、第３流通経路１７ｃは電動送風機３０からコードリール４０の左右両側に回り込んで排気口１１ｅ1に達している。
【００１８】
また、図３と図４に示すように、集塵装置装着部１２において、空気導入口１１ｄの左右両側には、集塵装置２０の後述する一対のロック爪２２Ｄｂ2が係脱可能に係止する一対の係合凹部１１ｇが設けられている。
【００１９】
また、接続口１１ｂには図示しない可撓性ホースの基端部に設けられた電気配線部の凹形端子と電気的に接続可能な凸形端子１１ｂ1が設けられ、凸形端子１１ｂ1はリード線を介して回路基板（不図示）と電気的に接続されている。なお、回路基板は、筐体１１内のコードリール４０の近傍に設けられ、電動送風機３０および電源コード（不図示）とリード線等を介して電気的に接続されている。
【００２０】
＜集塵装置の構成＞
図６は本発明の実施形態１の集塵装置を示す斜視図であり、図７は図６の集塵装置の内部構造を示す断面図である。また、図８は図６の集塵装置の底部を開いた内部構造を示す断面図であり、図９は図６の集塵装置の分解図である。
図６〜図９に示すように、集塵装置２０は、装着口２１ａ1を有するダストカップ２１と、ダストカップ２１の装着口２１ａ1に着脱可能に装着される遠心分離ユニット２２とを備える。
【００２１】
［ダストカップ］
ダストカップ２１は、円筒形の胴部２１ａと、胴部２１ａの下端開口部にヒンジ部２１ｂ1を介して開閉可能に設けられた底部２１ｂとを有し、胴部２１ａの上端開口部が遠心分離ユニット２２を着脱可能に装着する装着口２１ａ1となっている。
また、ダストカップ２１において、胴部２１ａには外周面との接線方向上に開口する前記空気流入口２１ａ2が設けられると共に、胴部２１ａの下端開口部および底部２１ｂの外周部には底部２１ｂの閉状態を解除可能にロックするロック部２１ｃが設けられている。
また、胴部２１ａの装着口２１ａ1の内周面の対向する２箇所にはＬ形の係止溝２１ａ3が設けられると共に、係止溝２１ａ3の近傍には内鍔部２１ａ4が設けられている。
【００２２】
遠心分離ユニット２２が装着されたダストカップ２１の内部において、遠心分離ユニット２２の後述する第１遠心分離部２２Ａの内筒部２２Ａａの周囲スペースは第１集塵室２１Ｒとなっており、この第１集塵室２１Ｒに比較的大きな第１の塵埃が捕集される。
【００２３】
［遠心分離ユニット］
図１０は図９の分解した集塵装置における遠心分離ユニットの分解図である。
図６〜図１０に示すように、遠心分離ユニット２２は、空気中の第１の塵埃を分離する筒形の第１遠心分離部２２Ａと、第１遠心分離部２２Ａの周囲に配置されて第１遠心分離部２２Ａを通過した空気中の第１の塵埃よりも小さい第２の塵埃を分離する複数の遠心分離筒２２Ｂａを含む第２遠心分離部２２Ｂとを有する。
【００２４】
実施形態１の場合、遠心分離ユニット２２は、第１遠心分離部２２Ａの後述するカップ部２２Ａｂに対して回動可能なように第２遠心分離部２２Ｂとカップ部２２Ａｂとの間に設けられたワイパー部２２Ｃと、ワイパー部２２Ｃを回動させるよう第２遠心分離部２２Ｂを覆う回動部２２Ｄとをさらに有している。
【００２５】
《第１遠心分離部》
図１１は図１０の分解した遠心分離ユニットにおける内筒部およびカップ部の分解図である。
第１遠心分離部２２Ａは、ダストカップ２１の第１集塵室２１Ｒと第２遠心分離部とを連通させる内筒部２２Ａａと、内筒部２２Ａａを挿通させる挿通孔および第２遠心分離部２２Ｂを嵌め込む嵌合口２２Ａｂ13を有する前記カップ部２２Ａｂとを有する。
【００２６】
図７と図１０と図１１に示すように、内筒部２２Ａａは、中間筒部材２２Ａａ1と、中間筒部材２２Ａａ1の外側に組み付けられる圧縮スクリュー部２２Ａａ2と、中間筒部材２２Ａａ1の内側に組み付けられる回動力伝達枠体２２Ａａ3と、中間筒部材２２Ａａ1と連結されたシャッター部材２２Ａａ4とを備える。
【００２７】
中間筒部材２２Ａａ1は、複数のスリットを有する外周壁にメッシュ部材２２Ａａ111が巻き付けられてなる円筒状の小径筒枠部２２Ａａ11と、小径筒枠部２２Ａａ11の上端部に連設された中径筒部２２Ａａ12と、中径筒部２２Ａａ12の上端部に連設された大径筒部２２Ａａ13とを有する。
【００２８】
圧縮スクリュー部２２Ａａ2は、中間筒部材２２Ａａ1のメッシュ部材２２Ａａ111の外側に回動可能に嵌め込まれる円筒状の外枠部２２Ａａ21と、外枠部２２Ａａ21の下端部に連設された下端筒部２２Ａａ22と、外枠部２２Ａａ21と下端筒部２２Ａａ22との間に外鍔部を介して連設された大径筒部２２Ａａ23と、大径筒部２２Ａａ23の外周面に設けられた螺旋羽根２２Ａａ24とを有する。さらに、外枠部２２Ａａ21の内側における下端筒部２２Ａａ22の上端部には複数（この場合４本）の受け爪２２Ａａ25が上方へ向かって突設されている。
【００２９】
回動力伝達枠体２２Ａａ3は、複数の窓部を有する外周壁２２Ａａ31と、外周壁２２Ａａ31の上端部に上方へ向かって突設された複数（この場合５本）の受け爪２２Ａａ32と、外周壁２２Ａａ31の下端部に下方へ向かって突設された複数（この場合４本）の回動力伝達爪２２Ａａ33とを有する。
複数の回動力伝達爪２２Ａａ33は、後述する第２遠心分離部２２Ｂの複数の回転力伝達爪２２Ｂｃ2と摺接可能な傾斜面２２Ａａ321（図８、図１１参照）を有している。
【００３０】
シャッター部材２２Ａａ4は、円筒状のシャッター本体部２２Ａａ41と、シャッター本体部２２Ａａ41の外周面における下端部側に設けられた外鍔部２２Ａａ42と、外鍔部２２Ａａ42の上面に上方へ向かって突設された複数（この場合３本）の凸部２２Ａａ43および複数（この場合２本）のボス部２２Ａａ44とを有する。
また、外鍔部２２Ａａ42には複数（この場合２本）のタッピングネジ２２ｘを挿通させる孔部２２Ａａ421が設けられ、複数の凸部２２Ａａ43には付勢部材としての圧縮バネ２２ｙがそれぞれ装着される。
なお、外鍔部２２Ａａ42の孔部２２Ａａ421を挿通したタッピングネジ２２ｘは、中間筒部材２２Ａａ1の中径筒部２２Ａａ12に設けられたボス部（不図示）に螺着され、これによりシャッター部材２２Ａａ4が中間筒部材２２Ａａ1に連結される。
【００３１】
カップ部２２Ａｂは、第２遠心分離部２２Ｂを嵌め込む嵌合口２２Ａｂ13を有する上カップ２２Ａｂ1と、上カップ２２Ａｂ1を受け入れかつ内筒部２２Ａａを挿通させる挿通孔を有する下カップ２２Ａｂ2と、小径のパッキン２２Ａｂ3および大径のパッキン２２Ａｂ4とを備える。
上カップ２２Ａｂ1は、円筒部２２Ａｂ11と、円筒部２２Ａｂ1の下端部に連設された円環すり鉢状のテーパ部２２Ａｂ12とを有する。
【００３２】
上カップ２２Ａｂ1の円筒部２２Ａｂ11の外周面において、上端部には回動部２２Ｄの後述するカバー部材２２Ｄａを受ける上外鍔部２２Ａｂ111および位置決め溝２２Ａｂ112が設けられ、下端部側には下カップ２２Ａｂ2の上端縁に載る下外鍔部２２Ａｂ113が設けられている。
上カップ２２Ａｂ1のテーパ部２２Ａｂ12の対向する２箇所には、タッピングネジ２２ｚを挿通させるボス部２２Ａｂ121が下方突出状に設けられている。
なお、ボス部２２Ａｂ121を挿通したタッピングネジ２２ｚは、小径のパッキン２２Ａｂ3を介して上カップ２２Ａｂ1と下カップ２２Ａｂ2とを組み付ける際、下カップ２２Ａｂ2の後述する円環状平面部２２Ａｂ223に設けられた孔部（不図示）内に螺着され、これにより上カップ２２Ａｂ1と下カップ２２Ａｂ2とが連結する。
【００３３】
下カップ２２Ａｂ2は、上カップ２２Ａｂ1の下外鍔部２２Ａｂ113よりも小径の円筒部２２Ａｂ21と、円筒部２２Ａｂ21の下端外周部に設けられた円環状の底部２２Ａｂ22とを有する。
円筒部２２Ａｂ21は、外周面の下端部側に位置決め凸部２２Ａｂ211を有している。この位置決め凸部２２Ａｂ211は、遠心分離ユニット２２をダストカップ２１の装着口２１ａ1に装着する際にダストカップ２１の係止溝２１ａ3に係合する。
【００３４】
底部２２Ａｂ22は、大径のパッキン２２Ａｂ4が装着されるパッキン装着部２２Ａｂ221と、パッキン装着部２２Ａｂ221の内側に設けられて中間筒部材２２Ａａ1の大径筒部２２Ａａ13の上端部をスライド可能に嵌め入れる下方開口状の円環状凹部２２Ａｂ222と、円環状凹部２２Ａｂ222の内側に設けられた円環状平面部２２Ａｂ223と、円環状平面部２２Ａｂ223の内側に設けられた小径円筒部２２Ａｂ224とを有する（図７と図８参照）。
なお、大径のパッキン２２Ａｂ4は、カップ部２２Ａｂと内筒部２２Ａａとを組み合わせた際にカップ部２２Ａｂの装着口２１ａ1の内鍔部２１ａ4上に載って密着する。また、小径のパッキン２２Ａｂ3は小径円筒部２２Ａｂ224の上端部に装着され、上カップ２２Ａｂ1と下カップ２２Ａｂ2とを組み付ける際に上カップ２２Ａｂ1のテーパ部２２Ａｂ12の開口端部と密着する。
【００３５】
円環状平面部２２Ａｂ223には、シャッター部材２２Ａａ4の２本のボス部２２Ａａ44に対応する位置に２つの孔部を有しており、各孔部にワッシャを介してタッピングネジ２２ｑを挿通させてボス部２２Ａａ44に螺着することにより、下カップ２２Ａｂ2に対してシャッター部材２２Ａａ4が抜け出ないようにスライド可能に連結される。
さらに、円環状平面部２２Ａｂ223には、前記２つの孔部を除いた位置に、前記３つの圧縮バネ２２ｙの上端部を嵌め入れる下方開口状の３つの凹部２２Ａｂ225が設けられている（図８参照）。
【００３６】
《第２遠心分離部およびワイパー部》
図１２は図１０の分解した遠心分離ユニットにおける第２遠心分離部およびワイパー部を示す斜視図であり、図１３は図１２の第２遠心分離部の分解図である。また、図１４は図１０の第２遠心分離部にワイパー部を組み付けた状態を示す下方から視た斜視図であり、図１５は図６の集塵装置における第２集塵室内の構造を示す断面図であり、図１６は図２で示された集塵装置におけるカップ部と内筒部と受け板部とワイパー部とが組み付けられた状態を説明する断面図である。なお、図１６においては、受け板部２２ｂｃに下部遠心分離筒部２２Ｂｂが連結されていない状態を示している。
【００３７】
図１２〜図１４に示すように、第２遠心分離部２２Ｂは、複数（この場合１０個）の遠心分離筒２２Ｂａが同一円上に配置され一体化されてなる。例えば、超音波溶着で一体化してもよい。
詳しく説明すると、この第２遠心分離部２２Ｂは、上部遠心分離筒部２２Ｂａと、下部遠心分離筒部２２Ｂｂと、回動力伝達円板２２Ｂｃとが接合一体化されてなる。
【００３８】
図７、図８、図１２〜図１４に示すように、上部遠心分離筒部２２Ｂａは、内側筒部２２Ｂａ11および外側筒部２２Ｂａ12をそれぞれ有しかつ同一円上に配置され一体化された複数の二重筒部２２Ｂａ1と、複数の二重筒部２２Ｂａ1の外側筒部２２Ｂａ12の下端部と一体化された円板部２２Ｂａ2と、複数の内側筒部２２Ｂａ11の上端開口部２２Ｂａ111のみを開放するように複数の二重筒部２２Ｂａ1の上端部に設けられた上壁部２２Ｂａ3と、上壁部２２Ｂａ3の中心に設けられた後述の回動機構部２２Ｄｃの一構成要素としての第２ギア２２Ｂａ4とを有する。
【００３９】
円板部２２Ｂａ2には、各内側筒部２２Ｂａ11および各外側筒部２２Ｂａ12と連通する孔部が設けられている。
また、各二重筒部２２Ｂａ1の外側筒部２２Ｂａ12における上壁部２２Ｂａ3の下方位置には空気導入孔２２Ｂａ121が設けられている。
【００４０】
下部遠心分離筒部２２Ｂｂは、各内側筒部２２Ｂａ11および各外側筒部２２Ｂａ12と連通し、かつ各二重筒部２２Ｂａ1から遠ざかるにつれて縮径する複数のテーパ筒部２２Ｂｂ1を有し、これら複数のテーパ筒部２２Ｂｂ1はそれらの中心に空気流通孔２２Ｂｂ2が形成されるように同一円上に配置され一体化されている。なお、空気流通孔２２Ｂｂ2は各二重筒部２２Ｂａ1の各空気導入孔２２Ｂａ121と連通している。
【００４１】
図１２〜図１６に示すように、回動力伝達円板２２Ｂｃは、下部遠心分離筒部２２Ｂｂの各テーパ筒部２２Ｂｂ1が差し込まれ接合される複数の差し込み孔部２２Ｂｃ11を有する円環状の受け板部２２Ｂｃ1と、受け板部２２Ｂｃ1の中心孔２２Ｂｃ12の周囲部から垂設された複数（この場合５本）の回動力伝達爪２２Ｂｃ2とを有する。
【００４２】
受け板部２２Ｂｃ1は、中心孔２２Ｂｃ12および複数の差し込み孔部２２Ｂｃ11を有する平坦部分の外周部から軸心方向の上方（下部遠心分離筒部２２Ｂｂ側）へ立ち上がる円環状の上縁部２２Ｂｃ13と、上縁部２２Ｂｃ13とは反対側の下方（回動力伝達爪２２Ｂｃ2側）へ突出しかつ周方向に所定間隔で配置された複数のリブ２２Ｂｃ14とを有し、隣接する２つのリブ２２Ｂｃ14の間には切欠き２２Ｂｃ141が形成されている。
【００４３】
受け板部２２Ｂｃ1の少なくとも各リブ２２Ｂｃ14は、第１遠心分離部２２Ａのカップ部２２Ａｂの形成材料と異なる材料にて形成されている。本実施形態１の場合、カップ部２２ＡｂがＡＢＳ樹脂にて形成され、受け板部２２Ｂｃ1全体がポリプロピレン樹脂（ＰＰ樹脂）にて形成されている。
【００４４】
ワイパー部２２Ｃは、円形の外シールリング部２２Ｃ1および内シールリング部２２Ｃ2と、外シールリング部２２Ｃ1と内シールリング部２２Ｃ2とを連結するようにこれらと一体化された複数（この場合１０個）の略直角三角形のワイパー片２２Ｃ3とを有し、ゴム、軟質樹脂といった弾性材料にて形成されている。
【００４５】
図１４〜図１６に示すように、ワイパー部２２Ｃにおいて、外シールリング部２２Ｃ1は、第１遠心分離部２２Ａのカップ部２２Ａｂの内周面と摺接可能な外周面部２２Ｃ11を有すると共に、内周面側に下方へ開口する凹周溝２２Ｃ12を有している。
内シールリング部２２Ｃ2は、第１遠心分離部２２Ａの内筒部２２Ａａの上端部（シャッター本体２２ａ41の上端部）と摺接可能な下面２２Ｃ21を有している。
ワイパー片２２Ｃ3は、外シールリング部２２Ｃ1と内シールリング部２２Ｃ2とに連結された基端部２２Ｃ31と、カップ部２２Ａｂの底部（テーパー部２２Ａｂ12）と摺接可能であり基端部２２Ｃ31よりも薄い厚さを有する先端部２２Ｃ32とを有する。なお、図１６では、ワイパー片２２Ｃ3の先端部２２Ｃ32とカップ部２２Ａｂのテーパー部２２Ａｂ12とは、一部が接触し、一部は隙間が空いているが、先端部２２Ｃ32とテーパー部２２Ａｂ12とは互いに全体が接触するようにしてもよい。
【００４６】
図１２〜図１６に示すように、第２遠心分離部２２Ｂにワイパー部２２Ｃを組み付ける際、受け板部２２Ｂｃ1の複数の回動力伝達爪２２Ｂｃ2を内シールリング部２２Ｃ2に挿通させるようにしてワイパー部２２Ｃを受け板部２２Ｂｃ1に嵌め込む。このとき、ワイパー部２２Ｃの各ワイパー片２２Ｃ3の基端部２２Ｃ31が受け板部２２Ｂｃ1の各切欠き２２Ｂｃ141に嵌り込んで位置決めされ、それによって隣接する２個のワイパー片２２Ｃ3の間に回動力伝達円板２２Ｂｃの１個の差し込み孔部２２Ｂｃ11が配置される。なお、ワイパー片２２Ｃ3は１０個に限らず、例えば５個でもよいが、この場合には、隣接する２個のワイパー片２２Ｃ3の間に２個の差し込み孔部２２Ｂｃ11が配置される。
【００４７】
さらに、ワイパー部２２Ｃの外シールリング部２２Ｃ1の凹周溝２２Ｃ12内に受け板部２２Ｂｃ1の上縁部２２Ｂｃ13が嵌り込む。これにより、ワイパー部２２Ｃがカップ部２２Ａｂに対して摺接しながら回転したときのワイパー部２２Ｃのカップ部２２Ａｂからの捲れが防止される。
また、回転する受け板部２２Ｂｃ1の複数のリブ２２Ｂｃ14がカップ部２２Ａｂの底面（テーパー部２２Ａｂ12の内面）に摺接するが、リブ２２Ｂｃ14およびカップ部２２Ａｂが互いにＰＰ樹脂およびＡＢＳ樹脂といった異なる材料にて形成されているため、同一の材料の摩擦による摩耗粉の発生を抑えることができる。
【００４８】
さらに、受け板部２２Ｂｃ1の複数のリブ２２Ｂｃ14がカップ部２２Ａｂの底面に当接することにより、ワイパー部２２Ｃの外シールリング部２２Ｃ1がカップ部２２Ａｂの底面（テーパ部２２Ａｂ12）から浮き上がった状態となる。これにより、外シールリング部２２Ｃ1がカップ部２２Ａｂの底面に押し付けられた状態で摺動することがなくなり、この結果、受け板部２２Ｂｃ1を比較的軽い力で回転させることが可能となる。
【００４９】
《回動部》
図１７は図１０の分解した遠心分離ユニットにおける回動部の分解図であり、図１８は図１７の分解した回動部の第１ギアを下方から視た斜視図であり、図１９は図２で示された集塵装置における第１ギアと第２ギアとが（Ａ）は互いに噛合して正回転する状態を示し、（Ｂ）は互いに第１ギアが第２ギアに対して逆回転する状態を示す説明図である。
図６、図７および図１７に示すように、回動部２２Ｄは、第２遠心分離部２２Ｂを介してワイパー部２２Ｃおよび第１遠心分離部２２Ａの一部（回動力伝達枠体２２Ａａ3および圧縮スクリュー部２２Ａａ2）を回動操作するものであり、以下の構成を備える。
【００５０】
回動部２２Ｄは、第１遠心分離部２２Ａのカップ部２２Ａｂの嵌合口２２Ａｂ13を覆うように取り付けられるカバー本体２２Ｄａ1および押えカバー２２Ｄａ2を含むカバー部材２２Ｄａと、カバー本体２２Ｄａ1と押えカバー２２Ｄａ2との間に揺動可能に取り付けられたロック爪部材２２Ｄｂと、ハンドル２２Ｄｃ1、フェースギア形の第１ギア２２Ｄｃ2および第２遠心分離部２２Ｂの上部遠心分離筒部２２Ｂａの上壁部２２Ｂａ3に設けられたフェースギア形の前記第２ギア２２Ｂａ4とを含む回動機構部２２Ｄｃとを備える。なお、押えカバー２２Ｄａ2はネジ２２Ｄａ3にてカバー本体２２Ｄａ1に取り付けられる。
【００５１】
カバー本体２２Ｄａ1は、円筒ボス部２２Ｄａ11を有し、外周部の一部にはカバー本体２２Ｄａ1の下部空間に連通する前記空気排出口２２Ｄａ12（図６参照）が設けられ、カバー本体２２Ｄａ1の上面側における空気排出口２２Ｄａ12の近傍にはロック爪部材２２Ｄｂを揺動可能に取り付ける取付凹部２２Ｄａ13が設けられている。なお、カバー本体２２Ｄａ1の円筒ボス部２２Ｄａ11の周囲はハンドル２２Ｄｃ1の下端部を収納し、かつハンドル２２Ｄｃ1を指で掴みやすいように凹ませた円環状のスペースとなっている。
【００５２】
ロック爪部材２２Ｄｂは、板状部２２Ｄｂ1と、板状部２２Ｄｂ1の長手方向両端部に設けられたＬ形の一対の前記ロック爪２２Ｄｂ2と、板状部２２Ｄｂ1と一対のロック爪２２Ｄｂ2との間であって前記長手方向と平行な同一軸心上に設けられた一対の軸部２２Ｄｂ3と、板状部２２Ｄｂ1の長手方向中間部におけるロック爪２２Ｄｂ2とは反対側に突出した突片２２Ｄｂ4とを有する。
【００５３】
回動機構部２２Ｄｃにおいて、ハンドル２２Ｄｃ1は、外周面に周方向の凹周溝２２Ｄｃ111を有する円筒形のハンドル本体２２Ｄｃ11と、ハンドル本体２２Ｄｃ11の上部に取付られる蓋体２２Ｄｃ12とを有し、これらはネジ２２Ｄｃ2にて連結される。なお、ハンドル本体２２Ｄｃ11の中心孔２２Ｄｃ112の周囲には小径壁部２２Ｄｃ113（図７参照）が設けられており、ハンドル本体２２Ｄｃ11は二重壁構造となっている。
【００５４】
さらに、回動機構部２２Ｄｃは、カバー本体２２Ｄａ1の円筒ボス部２２Ｄａ11に上方および下方から挿入されるパッキン２２Ｄｃ31付きの第１連結軸２２Ｄｃ3および第２連結軸２２Ｄｃ4と、ハンドル本体２２Ｄｃ11の中心孔２２Ｄｃ112の上方から挿入されかつ第１連結軸２２Ｄｃ3を挿通させるバネ２２Ｄｃ5と、ハンドル本体２２Ｄｃ11の中心孔２２ＤＣ112を下方から挿通した第１連結軸２２Ｄｃ3に結合するワッシャ付きネジ２２Ｄｃ6と、バネ２２Ｄｃ7を介して第２連結軸２２Ｄｃ4にワッシャ付きネジ２２Ｄｃ8にて下方から取り付けられる円筒形の第１ギア２２Ｄｃ2とを有する。
【００５５】
図１７〜図１９に示すように、第１ギア２２Ｄｃ2は、ハンドル２２Ｄｃ1の回動軸心Ｐと略平行な垂直面（立ち面）２２Ｄｃ211をそれぞれ有する複数の歯２２Ｄｃ21を備えている。
一方、第２遠心分離部２２Ｂの上部遠心分離筒部２２Ｂａに設けられた第２ギア２２Ｂａ4は、第１ギア２２Ｄｃ2の垂直面２２Ｄｃ211と面接触するように回動軸心Ｐと略平行な受け面２２Ｂａ411をそれぞれ有する複数の歯２２Ｂａ41を備えている。
また、第１ギア２２Ｄｃ2と第２ギア２２Ｂａ4とは互いに異なる材料にて形成されている。本実施形態では、第１ギア２２Ｄｃ2はＰＰ樹脂にて形成され、第２ギア２２Ｂａ4はＡＢＳ樹脂にて形成されている。
【００５６】
図１９（Ａ）に示すように、第１ギア２２Ｄｃ2と第２ギア２２Ｂａ4とが噛合した状態では、第１ギア２２Ｄｃ2の歯２２Ｄｃ21の垂直面２２Ｄｃ211と第２ギア２２Ｂａ4の歯２２Ｂａ41の受け面２２Ｂａ411とが互いに面接触しているため、第１ギア２２Ｄｃ2が矢印Ｑ１方向に正回転すると、第１ギア２２Ｄｃ2の回転力が効率よく第２ギア２２Ｂａ4に伝達されて第２ギア２２Ｂａ4も矢印Ｑ１方向に正回転する。
【００５７】
また、図１９（Ｂ）に示すように、第２ギア２２Ｂａ4と噛合した第１ギア２２Ｄｃ2を矢印Ｑ２方向に逆回転させると、第１ギア２２Ｄｃ2の歯２２Ｄｃ21の斜面２２Ｄｃ212が第２ギア２２Ｂａ4の歯２２Ｂａ41の斜面２２Ｂａ412を摺動して乗り越える。そして、第１ギア２２Ｄｃ2の歯２２Ｄｃ21が第２ギア２２Ｂａ4の歯２２Ｂａ41と歯２２Ｂａ41の間の谷部に落ち込み、前記斜面への摺動と谷部への落ち込みを繰り返し、これにより振動が発生する。この振動は、後述する塵埃の廃棄時に利用することができる。
また、第１ギア２２Ｄｃ2が逆回転することによって第１ギア２２Ｄｃ2と第２ギア２２Ｂａ4とが互いに摺動するが、第１ギア２２Ｄｃ2と第２ギア２２Ｂａ4とは互いに異なる材料にて形成されているため、同一の材料の摩擦による摩耗粉の発生を抑えることができる。
【００５８】
第１連結軸２２Ｄｃ3、第２連結軸２２Ｄｃ4および第１ギア２２Ｄｃ2はワッシャ付きネジ２２Ｄｃ8にて一体的に回動可能に連結している（図７）。
自由状態において、バネ２２Ｄｃ5はハンドル本体２２Ｄｃ11を下方のカバー本体２２Ｄａ1側へ付勢しているが、ハンドル本体２２Ｄｃ11はバネ２２Ｄｃ5の付勢力に抗して上方へ移動可能となっている。
また、自由状態において、バネ２２Ｄｃ7は第１ギア２２Ｄｃ2を下方（ハンドル２２Ｄｃ1と反対側）へ付勢しているが、第１ギア２２Ｄｃ2はバネ２２Ｄｃ7の付勢力に抗して上方（ハンドル２２Ｄｃ1側）へ移動可能となっている。
【００５９】
ロック爪部材２２Ｄｂをカバー部材２２Ｄａに組み付ける際、カバー本体２２Ｄａ1の取付凹部２２Ｄａ13にロック爪部材２２Ｄｂを設置する。このとき、取付凹部２２Ｄａ13に設けられた左右一対のリブの上端部の半円形切欠き部２２Ｄａ14上に、ロック爪部材２２Ｄｂの一対の軸部２２Ｄｂ3を載せる。その後、ネジ２２Ｄａ3にて押えカバー２２Ｄａ2をカバー本体２２Ｄａ1に取り付ける。
【００６０】
このように構成された回動部２２Ｄにおいて、ロック爪部材２２Ｄｂの突片２２Ｄｂ4の先端部がハンドル本体２２Ｄｃ11の凹周溝２２Ｄｃ111に係止している（図７）。そのため、ハンドル２２Ｄｃ1を引き上げることによって凹周溝２２Ｄｃ111に係止した突片２２Ｄｂ4が引き上げられ、それによって軸部２２Ｄｂ3を中心にロック爪部材２２Ｄｂが揺動可能となっている。図６の場合、ハンドル２２Ｄｃ1を引き上げると、ロック爪２２Ｄｂ2が下方へ揺動する。
【００６１】
また、ハンドル２２Ｄｃ1を第１および第２連結軸２２Ｄｃ3、２２Ｄｃ4を中心に回動させると、回動する凹周溝２２Ｄｃ111に対してロック爪部材２２Ｄｂの突片２２Ｄｂ4が相対的に摺動するようになっているため、突片２２Ｄｂ4によってハンドル２２Ｄｃ1の回動が妨げられることはない。
また、ハンドル２２Ｄｃ1を回動させると、その回動力は第１連結軸２２Ｄｃ3に伝達され、第１連結軸２２Ｄｃ3と一体に第２連結軸２２Ｄｃ4および第１ギア２２Ｄｃ2が回動する。
【００６２】
[集塵装置の組み立てについて]
図７〜図１０に示すように、集塵装置２０は、第１遠心分離部２２Ａと第２遠心分離部２２Ｂとワイパー部２２Ｃと回動部２２Ｄとが組み付けられてなる遠心分離ユニット２２がダストカップ２１の装着口２１ａ1に着脱可能に取り付けられたものである。
この集塵装置２０の組み立て状態において、ダストカップ２１内における第１遠心分離部２２Ａの内筒部２２Ａａの周囲スペースが、比較的大きい第１の塵埃を溜める第１集塵室２１Ｒとなっている。
【００６３】
第１遠心分離部２２Ａの内筒部２２Ａａは、中間筒部材２２Ａａ1の小径筒枠部２２Ａａ11が圧縮スクリュー部２２Ａａ2の外枠部２２Ａａ21内に挿入され、回動力伝達枠部２２Ａａ3が中間筒部材２２Ａａ1の小径筒枠部２２Ａａ11が内に挿入され、シャッター部材２２Ａａ4がタッピングネジ２２ｘにて中間筒部材２２Ａａ1の中径筒部２２Ａａ12に固定されることにより組み立てられている。
第１遠心分離部２２Ａのカップ部２２Ａｂは、上カップ２２Ａｂ1が下カップ２２Ａｂ2に重ねられてタッピングネジ２２ｚにて固定されることにより組み立てられる。
【００６４】
第１遠心分離部２２Ａの内筒部２２Ａａは、内筒部２２Ａａとカップ部２２Ａｂとの間にパッキン２２Ａｂ3、２２Ａｂ4および複数の圧縮バネ２２ｙが配置されるようにして内筒部２２Ａａとカップ部２２Ａｂとが重ねられ、ワッシャ付きのタッピングネジ２２ｑが内筒部２２Ａａの一対のボス部２２Ａａ44に螺着されることにより組み立てられる。
【００６５】
第２遠心分離部２２Ｂは、その回動力伝達円板２２Ｂｃの下面にワイパー部２２Ｃが嵌め込まれた後、第１遠心分離部２２Ａのカップ部２２Ａｂ内に収納されることにより回動可能に取り付けられる。
回動部２２Ｄは、そのカバー部材２２Ｄａが第１遠心分離部２２Ａのカップ部２２Ａｂの嵌合口２２Ａｂ13に嵌め込まれることにより取り付けられる。この際、回動部２２ｄ側の第１ギア２２Ｄｃ2と第２遠心分離部２２Ｂ側の第２ギア２２Ｂａ4とが噛合し、これにより遠心分離ユニット２２が組み立てられる。
【００６６】
このように組み立てられた遠心分離ユニット２２がダストカップ２１に取り付けられると、複数の圧縮バネ２２ｙによる第１遠心分離部２２Ａの上端部であるシャッター部材２２Ａａ4を押し下げようとする付勢力に抗して、第１遠心分離部２２Ａの下端部である圧縮スクリュー部２２Ａａ2の下端筒部２２Ａａ22がダストカップ２１の底部２１ｂにて押し上げられる。
【００６７】
これにより、シャッター部材２２Ａａ4の円筒形のシャッター本体部２２Ａａ41が上カップ２２Ａｂ1のテーパ部２２Ａｂ12の中心孔を挿通してワイパー部２２Ｃの内シールリング部２２Ｃ2に気密に当接し、シャッター本体部２２Ａａ41と上カップ２２Ａｂ1と第２遠心分離部２２Ｂとで囲まれた第２集塵室２２Ｒが形成される。この第２集塵室２２Ｒは、ワイパー部２２Ｃの複数のワイパー片２２Ｃ3によって複数室に仕切られている（図７、図１５）。
【００６８】
［掃除機本体の動作および集塵装置のメンテナンスについて］
図１に示すように、本発明の集塵装置２０を備えた電気掃除機の掃除機本体１は、清掃時には、図示しないハンドルおよび操作部を有する可撓性ホース、延長パイプおよび吸込口体が接続される。
操作部にて電源をＯＮにすると、電動送風機３０が駆動し、被清掃面上の塵埃を空気と共に吸い込んで清掃する。吸込口体に吸い込まれた塵埃を含む空気は、延長パイプおよび可撓性ホースを介して掃除機本体１内に吸引される。
【００６９】
以下、図１〜図１６を参照しながら掃除機本体１内における空気の流れを説明する。なお、空気の流れは、図２中の矢印Ｆ1〜Ｆ10の順となっている。
塵埃を含む空気は、まず、駆動装置１０の接続口１１ｂに流入し（矢印Ｆ1）、接続口１１ｂと空気導出口１１ｃの間の第１流通経路１７ａを通り（矢印Ｆ2）、集塵装置２０のダストカップ２１の空気流入口２１ａ2に流入する（矢印Ｆ3）。
【００７０】
ダストカップ２１内に流入した塵埃を含む空気は、ダストカップ２１内を旋回し、この間に比較的大きな第１の塵埃は遠心力によりダストカップ２１の内周面側を旋回し、微細な塵埃を含む空気はメッシュ部材２２Ａａ111へ向かう（矢印Ｆ4）。これにより、比較的大きな第１の塵埃はダストカップ２１内の第１集塵室２１Ｒに溜まる。
【００７１】
メッシュ部２２Ａａ111を通過した第１の塵埃よりも微細な第２の塵埃を含む空気は、第１遠心分離部２２Ａの円筒部２２Ａａ内に流入し（矢印Ｆ5）、第２遠心分離部２２Ｂの空気流通孔２２Ｂｂ2内へ流入する。そして、第２の塵埃を含む空気は、複数の空気導入孔２２Ｂａ121から複数の遠心分離筒２２Ｂａの内部へ流入し、各二重筒部２２Ｂａ1の外側筒部２２Ｂａ12の内周面および各テーパ筒部２２Ｂｂ1の内周面に沿って旋回する。
【００７２】
第２の塵埃を含む空気が複数のテーパ筒部２２Ｂｂ1の内周面に沿って旋回ことにより、第２の塵埃は遠心分離されて遠心分離ユニット２２内の区画された複数の第２集塵室２２Ｒ内に溜まる。一方、第２の塵埃が除去された空気は、複数の二重筒部２２Ｂａ1の内側筒部２２Ｂａ11の内部（矢印Ｆ6）を通って上端開口部２２Ｂａ111から回動部２２Ｄのカバー本体２２Ｄａ1内に流入し、空気排出口２２Ｄａ12から駆動装置１０のフィルター５０を通過して空気導入口１１ｄ内に流入する（矢印Ｆ7）。
【００７３】
駆動装置１０内に流入した清浄化された空気は、空気導入口１１ｄと電動送風機３０との間の第３流通経路１７ｂを通り、電動送風機３０を通過し、電動送風機３０と排気口１１ｅ1との間の第３流通経路１７ｃを通り（矢印Ｆ8、Ｆ9）、排気口１１ｅ1から外部に排出される（矢印Ｆ10）。
【００７４】
次に、清掃後の集塵装置２０のメンテナンスについて説明する。
集塵装置２０のメッシュ部材２２Ａａ111の除塵およびダストカップ２１の第１集塵室２１Ｒ内に溜まった第１の塵埃の圧縮は、回動部２２Ｄのハンドル２２Ｄｃ1を所定方向に回すことにより同時に行われる。この際、除塵および圧縮は、集塵装置２０を駆動装置１０に装着したままの状態でも行うことができるが、適切な除塵および圧縮は、集塵装置２０を駆動装置１０から取り外し、集塵装置２０を立てた状態で行うことが望ましい。
以下、駆動装置１０から集塵装置２０を取り外して行う除塵および圧縮について説明する。
【００７５】
まず、駆動装置１０に装着された集塵装置２０を取り外す際は、集塵装置２０のハンドル２２Ｄｃ1を手で掴んで引っ張ることにより、駆動装置１０の一対の係合凹部１１ｇに係合した集塵装置２０の一対のロック爪２２Ｄｂ2が揺動して各係合凹部１１ｇから離脱するため、使用者はハンドル２２Ｄｃ1を引き上げる１ステップの動作で集塵装置２０を取り外すことができる。ハンドル２２Ｄｃ1は、そのハンドル本体２２Ｄｃ11を手で掴みやすいように円筒形状の直径が下方に向かうにつれて小さくなっている。
【００７６】
駆動装置１０から取り外した集塵装置２０を、床面などの安定した面上に立てた状態で載置し、ハンドル２２Ｄｃ1の蓋体２２Ｄｃ12の平坦面に示された矢印の方向（時計回り方向）にハンドル２２Ｄｃ1を回す。これにより、内筒部２２Ａａの回動力伝達枠体２２Ａａ3および圧縮スクリュー部２２Ａａ2が回転する。
詳しく説明すると、ハンドル２２Ｄｃ1が回転することにより、ハンドル２２Ｄｃ1と連結した第１連結軸２２Ｄｃ3、第２連結軸２２Ｄｃ4および第１ギア２２Ｄｃ2が図１９（Ａ）に示す矢印Ｑ１方向に正回転し、第１ギア２２Ｄｃ2と噛合した第２ギア２２Ｂａ4を有する第２遠心分離部２２Ｂも図１９（Ａ）に示す矢印Ｑ１方向に正回転する。
【００７７】
第２遠心分離部２２Ｂが回転することにより、第２遠心分離部２２Ｂの複数の回動力伝達爪２２Ｂｃ2が回転し、第１遠心分離部２２Ａの複数の回動力伝達爪２２Ｂｃ2と当接する複数の受け爪２２Ａａ32を有する回動力伝達枠体２２Ａａ3が回転し、回転する回動力伝達枠体２２Ａａ3の複数の回動力伝達爪２２Ａａ33と当接する複数の受け爪２２Ａａ25を有する圧縮スクリュー部２２Ａａ2が回転する。
【００７８】
このとき、圧縮スクリュー部２２Ａａ2の外枠部２２Ａａ21が回転することにより、メッシュ部材２２Ａａ111の外面に付着した塵埃を拭い取って除塵が行われる。
また、圧縮スクリュー部２２Ａａ2の螺旋羽根２２Ａａ24が回転することにより、ダストカップ２１の第１集塵室２１Ｒの底に溜まった第１の塵埃が螺旋羽根２２Ａａ24によって圧縮される。この際、螺旋羽根２２Ａａ24の下面の複数の小突起２２Ａａ241によって塵埃の塊を形成して効果的に圧縮することができる。
【００７９】
ダストカップ２１内に多量の第１の塵埃が溜まり、溜まった第１の塵埃が限界まで圧縮されると、第１の塵埃の塊によって圧縮スクリュー部２２Ａａ2が回転しにくくなり、回動機構部２２Ｄｃ、第２遠心分離部２２Ｂなどに過負荷がかかって破損するおそれがある。そのため、回動機構部２２Ｄｃ、第２遠心分離部２２Ｂなどに過負荷がかかると、第２遠心分離部２２Ｂの複数の回動力伝達爪２２Ｂｃ2が回動力伝達枠体２２Ａａ3の複数の受け爪２２Ａａ32を乗り越えるように摺接し、回動機構部２２Ｄｃおよび第２遠心分離部２２Ｂが空回りするようになっている。さらには、第１ギア２２Ｄｃ2が第２ギア２２Ｂａ4に対して空回りするようにしてもよい。
これにより、回動力伝達枠体２２Ａａ3および圧縮スクリュー部２２Ａａ2には回転力が伝わらなくなり、回動機構部２２Ｄｃ、第２遠心分離部２２Ｂなどの破損が防止される。
【００８０】
また、前記のような回動機構部２２Ｄｃおよび第２遠心分離部２２Ｂの空回りは「ガタガタ」といった音および振動を発生させるため、ダストカップ２１内の第１の塵埃が満杯であることを使用者に認識させ圧縮操作をストップさせることができると共に、ダストカップ２１内の第１の塵埃の廃棄時期であることを使用者に認識させることができる。
ダストカップ２１内の第１の塵埃を廃棄する際は、ロック部２１ｃのロック解除ボタン２１ｃ1を押すことにより底部２１ｂが開き、ダストカップ２１内の第１の塵埃が落下して廃棄される（図８、図９）。
【００８１】
このとき、複数の圧縮バネ２２ｙによって第１遠心分離部２２Ａが押し下げられ、圧縮スクリュー部２２Ａａ2に引きずられるようにして第１の塵埃の塊が落下する。そのため、ダストカップ２１と圧縮スクリュー部２２Ａａ2との間の狭い空間に第１の塵埃の塊が溜まっていてもスムーズに落下する。
【００８２】
さらにこの際、第１遠心分離部２２Ａが下がることにより、シャッター部材２２Ａａ4が下がって複数の第２集塵室２２Ｒが内筒部２２Ａａの内部と連通するため、各第２集塵室２２Ｒ内に溜まった第２の塵埃が内筒部２２Ａａの内部を通って落下して廃棄される。この際、複数の第２集塵室２２Ｒ内に第２の塵埃が残る場合があるため、ハンドル２２Ｄｃ1を回して第２遠心分離部２２Ｂと共にワイパー部２２Ｃを回転させることにより、複数のワイパー片２２Ｃ3が第２の塵埃を内筒部２２Ａａの方へ掻き落としてきれいに除去することができる。
【００８３】
このとき、複数のワイパー片２２Ｃ3は、それらの先端部２２Ｃ32の厚さが基端部２２Ｃ31の厚さよりも薄いため、カップ部２２Ａｂの底部であるテーパ部２２Ａｂ12の内面に密着するようワイパー片２２Ｃ3の先端部２２Ｃ32は撓みやすくなっている（図１６）。また、複数のワイパー片２２Ｃ3は第２の塵埃を掻き落としやすいよう軸心を中心とする放射方向に対して所定角度に傾けられており（図１５）、内筒部２２Ａａ内に落とし込まれた第２の塵埃は圧縮スクリュー部２２Ａａ2の下端筒部２２Ａａ22の内部から落下して廃棄される。
【００８４】
また、ハンドル２２Ｄｃ1を回すことにより、第２遠心分離部２２Ｂの複数の回転力伝達爪２２ＢＣ2が回転して回転力伝達枠体２２Ａａ3の複数の受け爪２２Ａａ32と接触し、各回転力伝達爪２２Ｂｃ2が各受け爪２２Ａａ32の傾斜面２２Ａａ321に摺接する。これにより、例えば、シャッター部材２２Ａａ4と上カップ２２Ａｂ1の挿通孔の内周面との間の隙間に第２の塵埃が詰まってシャッター部材２２Ａａ4が下がりにくくなっていても、各回転力伝達爪２２Ｂｃ2が各受け爪２２Ａａ32の傾斜面２２Ａａ321に摺接することにより回転力伝達枠体２２Ａａ3が強制的に押しさげられ、回転力伝達枠体２２Ａａ3を受ける中間筒部材２２Ａａ1と共にシャッター部材２２Ａａ4が押し下げられて各第２集塵室２２Ｒが内筒部２２Ａａの内部に連通する。
【００８５】
このように、ハンドル２２Ｄｃ1の回転に連動してシャッター部材２２Ａａ4の下方移動とワイパー部２２Ｃの回転による第２集塵室２２Ｒ内の清掃が行われ、それと同時に圧縮スクリュー部２２Ａａ2の外枠部２２Ａａ21が回転することによる再度のメッシュ部材２２Ａａ11の塵埃の除去、および圧縮スクリュー部２２Ａａ2の下方移動による第１の塵埃の塊の排出が行われる。
さらに、図１９（Ｂ）を用いて説明したように、ハンドル２２Ｄｃ１を逆回転させることにより第１ギア２２Ｄｃ２を矢印Ｑ２方向に逆回転させ、それによって第１ギアを第２ギア２２Ｂａ４に摺動させ、それによって振動を発生させて第２集塵室２２Ｒおよび第１集塵室２１Ｒ内に残留している塵埃をふるい落とすようにしてもよい。
【００８６】
なお、集塵装置２０は、図９と図１０に示すように、ダストカップ２１、第１遠心分離部２２Ａ、第２遠心分離部２２ｂおよび回動部２２ｄに分解でき、第１遠心分離部２２Ａは中間筒部材２２Ａａ1およびシャッター部材２２Ａａ4の組立体と、回動力伝達枠体２２Ａａ3と、圧縮スクリュー部２２Ａａ2とに分解できるため、これらをそれぞれ水洗いすることができる。
【００８７】
（実施形態２）
実施形態１では第１および第２遠心分離部２２Ａ、２２Ｂを備えたマルチサイクロン方式の集塵装置２０（図７）の場合を例示したが、本発明はシングルサイクロン方式の集塵装置にも適用できる。
図７を参照しながら説明すると、この実施形態２のシングルサイクロン方式の集塵装置の場合、第２遠心分離部２２Ｂの代わりにフィルター（例えば、プリーツ状のフィルター）が設けられる。
また、このフィルターにはハンドル２２Ｄｃ1の回動力を伝達する軸部が貫通し、この軸部の先端部に第２ギアが設けられる。
さらに、軸部の下端部には、回動力伝達枠体２２Ａａ3の複数の受け爪２２Ａａ32と接触可能な複数の回動力伝達爪が設けられる。
なお、軸部と共に回転してフィルターを振動させて除塵する除塵部を設けてもよい。
【００８８】
すなわち、実施形態２の集塵装置は、開閉可能な底部および開口部を有するダストカップと、ダストカップの開口部に嵌め込まれる塵埃分離ユニットとを備え、
前記塵埃分離ユニットは、前記ダストカップの閉じた前記底部に支持される内筒部と、前記内筒部と連通するカップ部と、前記カップ部内に設けられたフィルターと、前記フィルターを貫通する軸部を有する回動体とを有し、
ダストカップの底部が開いた状態において、回動体を回動させることによって内筒部が底部側へ押し下げられるように構成される。
ここで、「内筒部」および「カップ部」は実施形態１の「内筒部２２Ａａ」および「カップ部２２Ａｂ」に相当し、「回動体」は実施形態１の「ハンドル２２Ｄｃ1」およびこれと連結して回転する前記軸部に相当する。
【００８９】
また、実施形態２の集塵装置において、前記回動体は、内筒部の方へ突出する突出棒部を有し、
内筒部は、回動体の方へ突出して突出棒部と当接する傾斜面を有する当接片部を有し、
ダストカップの底部が開いた状態において、回動する回動体の突出棒部が内筒部の当接片部の傾斜面を摺接することにより内筒部が底部側へ押し下げられてもよい。
ここで、「突出棒部」は前記「回動力伝達爪」に相当し、「当接片部」および「傾斜面」は実施形態１の「受け爪２２Ａａ32」および「傾斜面２２Ａａ321」に相当する。
【００９０】
さらに、実施形態２の集塵装置において、内筒部は、ダストカップの底部にて支持される下端部と、下端部側に設けられてダストカップ内の塵埃を圧縮可能な圧縮スクリュー部とをさらに有してもよい。
ここで、「圧縮スクリュー部」は実施形態１の「圧縮スクリュー部２２Ａａ2」に相当し、「下端部」は実施形態１の「圧縮スクリュー部２２Ａａ2の下端筒部２２Ａａ22」に相当する。
【００９１】
（実施形態３）
実施形態１の集塵装置２０は、ハンドル２２Ｄｃ1を回すことにより各回転力伝達爪２２Ｂｃ2が回転し、各回転力伝達爪２２Ｂｃ2が各受け爪２２Ａａ32の傾斜面２２Ａａ321に摺接することにより回転力伝達枠体２２Ａａ3が強制的に押しさげられ、回転力伝達枠体２２Ａａ3を受ける中間筒部材２２Ａａ1と共にシャッター部材２２Ａａ4が押し下げられて各第２集塵室２２Ｒが内筒部２２Ａａの内部に連通するように構成されている。
したがって、ダストカップ２１の底部２１ｂが開放した際にシャッター部材２２Ａａ4を押し下げる複数の圧縮バネ２２ｙは省略されてもよい。
【００９２】
（実施形態４）
実施形態１の集塵装置２０において、ダストカップ２１の底部２１ｂは開放しないよう構成されていてもよい。この場合、第１集塵室２１Ｒに溜まった第１の塵埃を廃棄する際は、ダストカップ２１から遠心分離ユニット２２を取り外すことにより第１の塵埃を外部に廃棄すればよい。
さらに実施形態１の集塵装置２０において、シャッター部材２２Ａａ4はカップ部２２Ａｂに対して移動せずに閉じた状態で固定されてもよく、かつワイパー部２２Ｃは省略されてもよい。この場合、第２集塵室２２Ｒ内に溜まった第２の塵埃を廃棄する際は、第１遠心分離部２２Ａのカップ部２２Ａｂから第２遠心分離部２２Ｂを取り外すことにより第２の塵埃を外部に廃棄すればよい。
【００９３】
（実施形態５）
実施形態１の集塵装置２０において、回動部２２Ｄのハンドル２２Ｄｃ1を含む回動機構部２２Ｄｃは省略されてもよい。
この場合、カバー部材２２Ｄａの空気排出口２２Ｄａ12から指を入れて第２遠心分離部２２Ｂを回転させるようにしてもよい。
あるいは、第２遠心分離部２２Ｂの外周部にギアを設け、カバー部材２２Ｄａに形成した窓部からギアの一部を外部に露出させ、指でギアと共に第２遠心分離部２２Ｂを回転させるようにしてもよく、さらには、駆動装置１０側に駆動ギアを設け、駆動ギアを第２遠心分離部２２Ｂのギアに噛合させて自動的に回転させるようにしてもよい。
なおこの場合、集塵装置２０を駆動装置１０に取り付けた際にロック爪部材２２Ｄｂのロック状態を維持する付勢部材、および集塵装置２０を駆動装置１０から取り外す際にロック爪部材２２Ｄｂのロックを解除する押しボタンをカバー部材２２Ｄａに設ければよい。
【００９４】
（実施形態６）
実施形態１では、駆動装置１０の後部に電源コードを巻き取るコードリールを設けた場合を例示したが、コードリールの代わりに、駆動装置１０の後部にバッテリーを内蔵してもよく、あるいはバッテリーを着脱可能に装着するバッテリー装着部を設けてもよい。
【００９５】
（まとめ）
本発明の集塵装置は、底部および装着口を有するダストカップと、前記ダストカップの前記装着口に装着される遠心分離ユニットとを備え、
前記遠心分離ユニットは、空気中の第１の塵埃を空気から分離する筒形の第１遠心分離部と、前記第１遠心分離部の周囲に配置されて前記第１遠心分離部を通過した空気中の前記第１の塵埃よりも小さい第２の塵埃を分離する複数の遠心分離筒を含む第２遠心分離部とを有し、
前記ダストカップは、前記第１遠心分離部の周囲の前記第１の塵埃を集塵可能な第１集塵室を有し、
前記遠心分離ユニットは、前記第２遠心分離部の前記複数の遠心分離筒から送られる前記第２の塵埃を集塵可能な第２集塵室を有する。
【００９６】
本発明の集塵装置は、次のように構成されてもよく、それらが適宜組み合わされてもよい。
（１）前記第１遠心分離部は、前記ダストカップの前記第１集塵室と前記第２遠心分離部とを連通させる内筒部と、前記内筒部を挿通させる挿通孔および前記第２遠心分離部を嵌め込む嵌合口を有するカップ部とをさらに有し、
前記カップ部、前記内筒部および前記第２遠心分離部で囲まれた空間を前記第２集塵室として備えてもよい。
この構成によれば、遠心分離ユニットにおいて、カップ部から第２遠心分離部を取り外すことにより第２集塵室内の第２の塵埃を外部に排出することができる。
【００９７】
（２）前記ダストカップは、前記底部が開閉可能に構成されており、
前記内筒部は、前記ダストカップの閉じた前記底部に支持される下端部と、前記ダストカップの前記底部が閉状態のときに前記カップ部の前記挿通孔を挿通して前記内筒部の内部と前記第２集塵室とを遮蔽可能な上端部とを有し、
前記ダストカップの前記底部が開くことによって前記内筒部の前記上端部が下方へ移動して前記内筒部の内部と前記第２集塵室とが連通するように構成されてもよい。
【００９８】
この構成によれば、ダストカップの底部を開いて第１集塵室内の第１の塵埃を外部に自然落下により排出することができる。さらにこの際、内筒部が下方へ移動し、シャッターの役割を担う内筒部の上端部が下がって内筒部の内部と第２集塵室とが連通するため、第２集塵室内の第２の塵埃を内筒部の内部を通して自然落下させて外部に排出することができ、遠心分離ユニットを分解して第２の塵埃を排出する手間をはぶくことができる。
【００９９】
（３）前記第１遠心分離部は、前記ダストカップの閉じた前記底部側へ前記内筒部を付勢する付勢部材をさらに備えてもよい。
この構成によれば、ダストカップの底部を開いて第１および第２の塵埃を排出する際、内筒部とカップ部の挿通孔との間の隙間に第２の塵埃が入り込んで内筒部の上端部が挿通孔を移動しにくくなっていても、付勢部材により強制的に内筒部が押し下げられて内筒部の内部と第２集塵室とが連通するため、確実に第２集塵室内の第２の塵埃を内筒部の内部を通して自然落下させて外部に排出することができる。
【０１００】
（４）前記遠心分離ユニットは、前記カップ部に対して回動可能なように前記第２遠心分離部と前記カップ部との間に設けられたワイパー部と、前記ワイパー部を回動させる回動部とをさらに有してもよい。
この構成によれば、ダストカップの底部を開いて第１および第２の塵埃を排出する際、回動部にてワイパー部を回動させることによって第２集塵室内の第２の塵埃を内筒部の内部へ落とし込むことができ、第２の塵埃の排出残しを低減することができる。
【０１０１】
（５）前記ワイパー部は、前記複数の遠心分離筒を前記第２集塵室内に個別に連通させるように仕切る複数のワイパー片を有してもよい。
この構成によれば、電気掃除機の運転中における集塵装置において、第２集塵室内に捕捉された第２の塵埃の各遠心分離筒への逆流を効果的に抑制することができる。
【０１０２】
（６）前記内筒部は、前記下端部側に設けられて前記第１集塵室内の前記第１の塵埃を圧縮可能な圧縮スクリュー部をさらに有し、
前記ワイパー部と前記内筒部とが一体回動可能かつ分離可能に連結してもよい。
この構成によれば、回動部にてワイパー部を介して内筒部を回動させることにより第１集塵室内の第１の塵埃を圧縮スクリュー部にて圧縮することができる。また、ダストカップの底部を開いて第１および第２の塵埃を排出する際、回動部にてワイパー部と圧縮スクリュー部を連動（回動）させながら圧縮した第１の塵埃および第２の塵埃を舞い上がりを抑えながら排出することができる。
【０１０３】
（７）前記回動部と前記第２遠心分離部とが一体回動可能かつ分離可能に連結し、かつ前記第２遠心分離部と前記ワイパー部とが一体回動可能かつ分離可能に連結してもよい。
この構成によれば、回動部の回動力をワイパー部へ伝える機構として第２遠心分離部を利用することができるため、部品点数の削減および構造の簡素化を図ることができる。
【０１０４】
（８）前記ワイパー部は、前記第１遠心分離部の前記カップ部の内面と摺接可能な円環状の外シールリング部と、前記第１遠心分離部の前記内筒部の上端部と摺接可能な円環状の内シールリング部と、前記カップ部の底部と摺接可能なようにかつ前記外シールリング部と前記内シールリング部とを連結するようにこれらと一体化された前記複数のワイパー片とを有するものであってもよい。
この構成によれば、外シールリング部と内シールリング部と複数のワイパー片とを、例えばゴムにて一体成形して部品点数および組み立て工数の削減を図ることができると共に、ワイパー部がワイパー機能に加えてシール機能も有するものとなる。
【０１０５】
（９）前記ワイパー片は、前記外シールリング部と前記内シールリング部とに連結された基端部と、前記カップ部の底部と摺接可能であり前記基端部よりも薄い厚さを有する先端部とを有するものであってもよい。
この構成によれば、ワイパー片の基端部に腰をつけかつ先端部を撓みやすくすることができるため、ワイパー片を回動させても基端部が撓みにくくなりかつ先端部がカップ部の底部に密着しながら摺接して塵埃を効率よく掻き落とすことができる。
【０１０６】
（１０）前記ワイパー部の前記外シールリング部は、その内周面側に下方へ開口する凹周溝を有し、
前記第２遠心分離部は、前記外シールリング部の前記内周面に密着する円環状の受け板部を有し、
前記受け板部は、前記外シールリング部の前記凹周溝内に嵌め込まれる上縁部を有するものであってもよい。
この構成によれば、受け板部の上縁部をワイパー部の外シールリング部の凹周溝内に嵌め込むようにして、ワイパー部を受け板部に被せて取り付けることができるため、ワイパー部がカップ部に摺動しながら回動した際に受け板部から捲れて外れてしまうという不具合を防止することができる。
【０１０７】
（１１）前記受け板部は、前記カップ部の底面と摺接可能なように前記ワイパー部の前記外シールリング部よりも下方に突出するリブを有するものであってもよい。
この構成によれば、受け板部のリブがカップ部の底部に当接し、これによりワイパー部の外シールリング部はカップ部の底面から浮き上がった状態となり底部に密着しない。そのため、第２遠心分離部をカップ部に対して軽い力で回動させることができる。
【０１０８】
（１２）前記受け板部は、周方向に所定間隔で配置された複数の前記リブを有するものであってもよい。
この構成によれば、受け板部にかかる荷重を複数のリブに分散させることができるため、１つのリブに偏った摩耗を生じさせることを防止できる。
【０１０９】
（１３）前記カップ部と前記受け板部の前記リブとが異なる材料にて形成されてもよい。
この構成によれば、カップ部と受け板部のリブとを同じ材料にて形成した場合に互いの摩擦によって摩耗粉が発生するという不具合を抑制することができる。
【０１１０】
（１４）前記回動部は、前記第１遠心分離部の前記カップ部の前記嵌合口を覆うように設けられたカバー部材と、前記カバー部材に対して回動可能に設けられた回動機構部とを備え、
前記回動機構部は、前記カバー部材に回動可能に設けられたハンドルと、前記ハンドルと一体的に回動可能な第１ギアと、前記第２遠心分離部の上壁部に設けられて前記第１ギアと噛合可能な第２ギアとを有し、
前記第１ギアは、前記ハンドルの回動軸心と略平行な垂直面をそれぞれ有する複数の歯を備え、
前記第２ギアは、前記第１ギアの前記垂直面と面接触するように前記回動軸心と略平行な受け面をそれぞれ有する複数の歯を備えるものであってもよい。
この構成によれば、回動機構部のハンドルを正回転させると第１ギアの歯の垂直面から第２ギアの歯の受け面に正回転方向の力を効率よく伝達することができる。それに加え、ハンドルを逆回転させると第１ギアの歯の斜面が第２ギアの歯の斜面を摺動するため、第１ギアが回転軸方向に振動しながら逆回転方向に回転し、このときの振動により第１および第２遠心分離部内の塵埃をダストカップ内に振り落とすことができる。
【０１１１】
（１５）前記第１ギアと前記第２ギアとは互いに異なる材料にて形成されてもよい。
この構成によれば、第１ギアと第２ギアとを同じ材料にて形成した場合に互いの摩擦によって摩耗粉が発生するという不具合を抑制することができる。
【０１１２】
また、本発明の集塵装置は、開閉可能な底部および開口部を有するダストカップと、前記ダストカップの前記開口部に嵌め込まれる塵埃分離ユニットとを備え、
前記塵埃分離ユニットは、前記ダストカップの閉じた前記底部に支持される内筒部と、前記内筒部と連通するカップ部と、前記カップ部内に設けられたフィルターと、前記フィルターを貫通する軸部を有する回動体とを有し、
前記ダストカップの前記底部が開いた状態において、前記回動体を回動させることによって前記内筒部が前記底部側へ押し下げられるように構成されている。
【０１１３】
本発明の集塵装置は、次のように構成されてもよく、それらが適宜組み合わされてもよい。
（Ｉ）前記回動体は、前記内筒部の方へ突出する突出棒部を有し、
前記内筒部は、前記回動体の方へ突出して前記突出棒部と当接する傾斜面を有する当接片部を有し、
前記ダストカップの前記底部が開いた状態において、回動する前記回動体の前記突出棒部が前記内筒部の前記当接片部の前記傾斜面を摺接することにより前記内筒部が前記底部側へ押し下げられてもよい。
この構成によれば、ダストカップ内の塵埃を外部に排出する際の内筒体を押し下げる構造を簡素化することができる。
【０１１４】
（ＩＩ）前記内筒部は、前記ダストカップの前記底部にて支持される下端部と、前記下端部側に設けられて前記ダストカップ内の塵埃を圧縮可能な圧縮スクリュー部とをさらに有してもよい。
この構成によれば、回動体を介して内筒部の圧縮スクリューを回動させることにより、ダストカップ内の塵埃を圧縮スクリュー部にて圧縮することができるため、ダストカップの底部を開いて外部に排出される塵埃の舞い上がりを抑えることができる。
【０１１５】
また、本発明によれば、前記集塵装置と、前記集塵装置を着脱可能に装着する集塵装置装着部を有する駆動装置とを有し、床面上を進行方向に走行可能なキャニスター型の掃除機本体を備え、
前記駆動装置は、前記集塵装置装着部を構成する筐体と、前記筐体内に設けられた電動送風機と、前記電動送風機に外部電源からの電力を供給する電源コードと、前記電源コードを引き出し可能に前記筐体内に巻き取るコードリールと、引き出した前記電源コードを前記コードリールを作動させて巻き取らせる巻き取り開始ボタンとを有し、
前記巻き取り開始ボタンは、前記筐体における前記集塵装置装着部付近に、かつ前記駆動装置の転倒によって外部環境に接触しないまたは接触しても引き出した前記電源コードの巻き取りが開始されないように位置配置された電気掃除機が提供される。
【０１１６】
この電気掃除機は、前記駆動装置の前記集塵装置装着部は、前記集塵装置を横倒し状態で装着できるように前記筐体の上面側に設けられると共に、前記集塵装置の前記ダストカップの前記底部を保持する保持板を前記筐体の前記上面に上方突出状に有しており、
前記巻き取り開始ボタンは、前記保持板における後方近傍位置でかつ左右方向の中間位置に配置されたものであってもよい。
この構成によれば、集塵装置を横置きで駆動装置に装着するキャニスター型電気掃除機において、駆動装置の転倒による電源コードの巻き取り誤動作を防止することができる。
【０１１７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１１８】
１  掃除機本体
１０  駆動装置
１１  筐体
１２  集塵装置装着部
１５  巻き取り開始ボタン
１６  保持板
２０  集塵装置
２１  ダストカップ
２１ａ1  装着口
２１ｂ  底部
２１Ｒ  第１集塵室
２２  遠心分離ユニット
２２Ａａ  内筒部
２２Ａａ2  圧縮スクリュー部
２２Ａａ22  下端筒部（内筒部の下端部）
２２Ａａ41  シャッター本体部（内筒部の上端部）
２２Ａｂ  カップ部
２２Ａｂ13 嵌合口
２２Ｂ  第２遠心分離部
２２Ｂａ  遠心分離筒
２２Ｂａ4  第２ギア
２２Ｂａ41  歯
２２Ｂａ411  受け面
２２Ｂｃ1  受け板部
２２Ｂｃ13  上縁部
２２Ｂｃ14  リブ
２２Ｃ  ワイパー部
２２Ｃ1  外シールリング部
２２Ｃ12  凹周溝
２２Ｃ2  内シールリング部
２２Ｃ3  ワイパー片
２２Ｃ31  基端部
２２Ｃ32  先端部
２２Ｄ  回動部
２２Ｄａ  カバー部材
２２Ｄｃ  回動機構部
２２Ｄｃ1  ハンドル
２２Ｄｃ2  第１ギア
２２Ｄｃ21 歯
２２Ｄｃ211  垂直面
２２Ｒ  第２集塵室
２２ｙ  圧縮バネ（付勢部材）
３０  電動送風機
４０  コードリール
Ｆ  床面上
Ｐ  回動軸心
【図１】
2019155053.tif 000003
【図２】
2019155053.tif 000004
【図３】
2019155053.tif 000005
【図４】
2019155053.tif 000006
【図５】
2019155053.tif 000007
【図６】
2019155053.tif 000008
【図７】
2019155053.tif 000009
【図８】
2019155053.tif 000010
【図９】
2019155053.tif 000011
【図１０】
2019155053.tif 000012
【図１１】
2019155053.tif 000013
【図１２】
2019155053.tif 000014
【図１３】
2019155053.tif 000015
【図１４】
2019155053.tif 000016
【図１５】
2019155053.tif 000017
【図１６】
2019155053.tif 000018
【図１７】
2019155053.tif 000019
【図１８】
2019155053.tif 000020
【図１９】
2019155053.tif 000021